(57)【特許請求の範囲】
【請求項１】
建物の上下階の境界部分に位置する換気機構を備えているとともに、
この換気機構は、前記境界部分から見て下階の室内側に開口した第１開口部と、室外に開口した第２開口部と、上階の室内側に開口した第３開口部と、これら第１ないし第３開口部の連通状態を切り換える流路切換部材とを備え、
この流路切換部材は少なくとも、前記第１開口部および第２開口部を連通させる換気流路形成位置と、第２開口部および第３開口部を連通させる吸気流路形成位置と、第２開口部に対して第１および第３開口部を閉鎖させる閉鎖位置とに付勢可能に設けられている
換気機構付きカーテンウォールユニット。
【請求項２】
前記流路切換部材が閉鎖位置にあるとき、前記第１開口部および第３開口部が連通する
請求項１に記載の換気機構付きカーテンウォールユニット。
【請求項３】
前記流路切換部材は、回転することで付勢位置を切換可能に設けられている
請求項１または請求項２に記載の換気機構付きカーテンウォールユニット。
【請求項４】
上下階の境界部分には換気機構が設けられ、
この換気機構は、前記境界部分から見て下階の室内側に開口した第１開口部と、室外側に開口した第２開口部と、上階の室内側に開口した第３開口部と、これら第１ないし第３開口部の連通状態を切り換える流路切換部材とを備え、
この流路切換部材は少なくとも、前記第１開口部および第２開口部を連通させる換気流路形成位置と、第２開口部および第３開口部を連通させる吸気流路形成位置と、第２開口部に対して第１および第３開口部を閉鎖させる閉鎖位置とに付勢可能に設けられている
建物の換気構造。
【請求項５】
室内には外壁から所定距離離間した位置に内窓が設けられ、この内窓と外壁との間の流通空間には、当該室内の上側に設けられた換気機構の第１開口部と、下側に設けられた換気機構の第３開口部とがそれぞれ開口してしている
請求項４に記載の建物の換気構造。
【請求項６】
前記内窓の室内側は、床側または天井側で前記流通空間と連通し、天井裏空間または床下空間には、流通空間と連通した引込流路が設けられている
請求項５に記載の建物の換気構造。
【請求項７】
前記換気機構は、上下階の境界部分に沿って水平方向に複数並設されているとともに、当該上下階の境界部分で挟まれた室内では、上側の複数の換気機構のうちの一つ以上と、下側の複数の換気機構のうちの一つ以上とを操作可能に設けられている
請求項４ないし請求項６のいずれかに記載の建物の換気構造。
【請求項８】
前記換気構造は、請求項１ないし請求項３のいずれかに記載のカーテンウォールユニットの換気機構を含んで構成されている
請求項４ないし請求項７のいずれかに記載の建物の換気構造。
【発明の詳細な説明】
【０００１】
【発明の属する技術分野】
本発明は、換気機構付きカーテンウォールユニットおよび建物の換気構造に関する。
【０００２】
【背景技術】
従来より、建物の外壁であるカーテンウォールを、上下方向および水平方向にそれぞれ並設された複数のカーテンウォールユニットで形成することが知られている。また、カーテンウォールユニットの上側および下側の両側に、開閉自在なダンパー等を備えた換気機構を設けることも知られている。
これらのカーテンウォールユニットによれば、下側の換気機構から外気を室内に導入するとともに、上側の換気機構から室内の空気を外部に排出することにより、室内の換気を良好に行うことができる。
【０００３】
さらに、近年では、カーテンウォールの室内側に内窓を備えた、いわゆるダブルスキン構造を採用した建物が知られている。
このような建物では、カーテンウォールと内窓との間に空間が存在するが、この空間内の空気は、特に夏場の日中において、太陽光によって外気より高温となため、室内の冷房効率を低下させないためにも、その空気を換気して外部に排出する必要がある。そして、この場合にも、前述の上下の換気機構が用いられる。
【０００４】
【発明が解決しようとする課題】
しかしながら、従来では、各階のカーテンウォールユニット毎に上下の換気機構を設けるので、コストがかかるうえ、カーテンウォールユニットの構造が複雑になって組立作業が繁雑になるという問題がある。
【０００５】
なお、このような問題が生じるのは、外壁をカーテンウォールで形成する場合に限らない。例えば、建物の外壁を、コンクリートの壁面に取り付けられるタイル等の外壁材で形成する場合でも、各階のサッシ窓の上下に換気機構を設けることがあり、やはり、コストがかかり、施工も繁雑になる。
【０００６】
本発明の目的は、コスト削減および作業の簡略化を実現でき、しかも、換気を良好に行える換気機構付きカーテンウォールユニット、および建物の換気構造を提供することにある。
【０００７】
【課題を解決するための手段】
本発明の換気機構付きカーテンウォールユニットは、建物の上下階の境界部分に位置する換気機構を備えているとともに、この換気機構は、前記境界部分から見て下階の室内側に開口した第１開口部と、室外に開口した第２開口部と、上階の室内側に開口した第３開口部と、これら第１ないし第３開口部の連通状態を切り換える流路切換部材とを備え、この流路切換部材は少なくとも、前記第１開口部および第２開口部を連通させる換気流路形成位置と、第２開口部および第３開口部を連通させる吸気流路形成位置と、第２開口部に対して第１および第３開口部を閉鎖させる閉鎖位置とに付勢可能に設けられていることを特徴とする。
【０００８】
このようなカーテンウォールユニットによれば、換気機構を上下階の境界部分に対応した位置の一箇所に設けるだけでよいので、従来とは異なって上下の両方に換気機構を設ける必要がなく、コストが削減される。そして、換気機構の数が少ないことで、カーテンウォールユニットの組立作業も容易になる。
また、このカーテンウォールユニットでは、換気機構を各階の境界部分に位置させることにより、所定の階層での換気を次のようにして行うことが可能である。つまり、一カーテンウォールユニットに設けられた下側の境界部分の換気機構において、その流路切換部材を吸気流路形成位置にして外気を室内に取り込み、別のカーテンウォールユニットに設けられた上側の境界部分の換気機構において、その流路切換部材を換気流路形成位置にして室内の空気を排出すればよい。従って、一つのカーテンウォールユニットの上下両方に換気機構を設けなくとも、換気が良好に行われるようになる。
【０００９】
本発明の換気機構付きカーテンウォールユニットでは、前記流路切換部材が閉鎖位置にあるとき、前記第１開口部および第３開口部を連通させることが望ましい。
このようなカーテンウォールユニットによれば、各階の境界部分にある換気機構の流路切換部材を閉鎖位置にすることで、上下階の室内同士が第１開口部および第３開口部を介して連通するようになり、例えば、高層の建物であっても、建物の最下階から最上階までの全室内を容易に連通させることが可能である。
【００１０】
また、本発明の換気機構付きカーテンウォールにおいて、前記流路切換部材は、回転することで付勢位置を切換可能に設けられていてもよい。
このようなカーテンウォールでは、流路切換部材が電動式のモータ等で駆動されるようになり、切換操作の自動化が容易になる。
【００１１】
一方、本発明の建物の換気構造は、上下階の境界部分には換気機構が設けられ、この換気機構は、前記境界部分から見て下階の室内側に開口した第１開口部と、室外側に開口した第２開口部と、上階の室内側に開口した第３開口部と、これら第１ないし第３開口部の連通状態を切り換える流路切換部材とを備え、この流路切換部材は少なくとも、前記第１開口部および第２開口部を連通させる換気流路形成位置と、第２開口部および第３開口部を連通させる吸気流路形成位置と、第２開口部に対して第１および第３開口部を閉鎖させる閉鎖位置とに付勢可能に設けられていることを特徴とする。
【００１２】
このような建物の換気構造では、建物の外壁がカーテンウォールで形成されている場合以外でも、換気機構の数が少なくなるので、コストが削減され、そして、建物の施工が容易になる。また、換気機構の流路切換部材を操作することで、前述したように、換気が良好に行われるようになる。
【００１３】
さらに、本発明の建物の換気構造において、室内には外壁から所定距離離間した位置に内窓が設けられ、この内窓と外壁との間の流通空間には、当該室内の上側に設けられた換気機構の第１開口部と、下側に設けられた換気機構の第３開口部とがそれぞれ開口していることが好ましい。
このような換気構造では、室内に内窓が設けられたいわゆるダブルスキン構造の建物であっても、外壁と内窓との間の流通空間の換気が良好に行えるようになり、例えば、夏場の日中においては、当該流通空間内の温度が過剰に高くなる心配がなく、室内の冷房効率が改善される。
【００１４】
この際、本発明の建物の換気構造では、前記内窓の室内側は、床側または天井側で前記流通空間と連通し、天井裏空間または床下空間には、流通空間と連通した引込流路が設けられていることが望ましい。
このような換気構造によれば、内窓の室内側の空気が流通空間を通って引込流路に引き込まれるようになるから、この引き込まれた空気を再度室内側に送り込む等すれば、室内側での空気循環が行えるようになる。
【００１５】
そして、本発明の建物の換気構造では、前記換気機構は、上下階の境界部分に沿って水平方向に複数並設されているとともに、当該上下階の境界部分で挟まれた室内では、上側の複数の換気機構のうちの一つ以上と、下側の複数の換気機構のうちの一つ以上とを操作可能に設けられていることが望ましい。
このような換気構造によれば、上側および下側の換気機構によって室内の換気が行われ、また、上側の他の換気機構を上階の室内の換気用に、下側の他の換気機構を下階の室内の換気用にそれぞれ用いることで、各階毎の換気が確実に行われるようになる。
【００１６】
さらに、以上の建物の換気構造において、前記換気構造は、請求項１ないし請求項３のいずれかに記載のカーテンウォールユニットの換気機構を含んで構成されていてもよく、これらのカーテンウォールユニットを上下方向および水平方向に複数並設することにより、本発明の目的を達成しつつ、建物外壁をカーテンウォールで形成することが可能になる。
【００１７】
【発明の実施の形態】
以下、本発明の一実施形態を図面に基づいて説明する。
図１は、本実施形態の複数のカーテンウォールユニット１０で構成されたカーテンウォール１の外観姿図である。図２は、カーテンウォール１の縦断面図、図３は、カーテンウォール１の横断面図、図４は、その模式的な断面斜視図である。
【００１８】
カーテンウォール１において、これを構成する各カーテンウォールユニット１０は、建物２の各階の床スラブ３間に跨って上下方向および水平方向に複数並設され、この床スラブ３に対して図示しないライナを介して固定されている。
このようなカーテンウォールユニット１０は、上枠１１、下枠１２、および左右の縦枠１３を四周枠組みした矩形状の枠体１４を備え、この枠体１４内には、ガラス面材１５が嵌め込まれている。
【００１９】
枠体１４の下枠１２および各縦枠１３は、それぞれ一本のアルミ製の押出形材で構成され、ビスによって互いに接合されている。
これに対して上枠１１は、複数のアルミ製の押出形材で構成され、その内部に建物２内の換気を行うための換気機構２０が設けられている。この上枠１１は、カーテンウォールユニット１０が床スラブ３に固定された際、床スラブ３の上面に対応した高さ、すなわち、上下階の境界部分に対応した高さに位置するようになっている。
【００２０】
具体的に上枠１１は、図５、図６にも拡大して示すように、ガラス面材１５を保持するための保持部１６Ａを有した室外側部材１６と、この室外側部材１６の室内側に配置された室内側部材１７と、室外側部材１６および室内側部材１７の上部に配置されて、上階側のカーテンウォールユニット１０の下枠１２に対向した上側部材１８とを備えている。
【００２１】
室外側部材１６および室内側部材１７間には、当該カーテンウォールユニット１０で覆われる階層の室内側に開口した第１開口部２１が形成されている。室外側部材１６および上側部材１８間には、室外（建物の外部）側に開口した第２開口部２２が形成されている。室内側部材１７および上側部材１８間には、上階の室内側に開口した第３開口部２３が形成されている。
【００２２】
このような上枠１１内には、換気装置２４が配置されている。
換気装置２４は、左右の縦枠１３の内面に近接して室外側部材１６、室内側部材１７、および上側部材１８で囲まれるように配置された一対の円筒状の軸受ハウジング２５と、各軸受ハウジング２５間に軸支された流路切換部材としての換気扉２６とを備え、この換気扉２６もアルミの押出形材製である。
【００２３】
このような換気扉２６は、水平方向の一端の軸受ハウジング２５内に配置された図示しない電気モータと連結されており、回転中心２６Ａを中心として回転する。また、その電気モータによる換気扉２６の回転や停止は、室内に配置された図示しない操作パネルを操作することで自動的に行われる。
【００２４】
さらに、換気扉２６は、断面Ｙ字形状とされ、１２０°間隔で設けられた３枚の中空板状の切換部２７，２８，２９を備えている。切換部２７〜２９の先端には、乾式のシール材２７１，２８１，２９１が設けられている。これらのシール材２７１，２８１，２９１は、換気扉２６が回転することにより、室外側部材１６、室内側部材１７、および上側部材１８のそれぞれの接触面１６１，１７１，１８１に接触する。
【００２５】
切換部２７，２８，２９のうちの切換部２７には、表裏を貫通する流通開口２７Ａが設けられている。この流通開口２７Ａにより、図６に示す状態では、第２開口部２２と第３開口部２３とが連通するようになっている。そして、この状態に付勢された換気扉２６の位置は、吸気流路形成位置である。
【００２６】
また、図示を省略するが、換気扉２６を、図６に示す吸気流路形成位置から反時計方向に１２０°回転させた位置は、切換部２７が室外側部材１６の接触面１６１に近接する位置であり、流通開口２７Ａによって第１開口部２１と第２開口部２２とが連通する換気流路形成位置である。
【００２７】
さらに、換気扉２６を、換気流離形成位置から１２０°回転させた位置は、切換部２８，２９が室外側部材１６および上側部材１８の各接触面１６１，１８１にそれぞれ近接して、第２開口部２２に対して第１，第３開口部２１，２３が閉鎖される閉鎖位置である。
そして、この閉鎖位置では、切換部２７が室内側部材１７の接触面１７１に近接し、この切換部２７の流通開口により、第１開口部２１および第３開口部２３が連通する。
【００２８】
なお、室内側部材１７の下端には、横材３１が設けられ、この横材３１と室外側部材１６との間には、開口部３２Ａを有した吸込グリル３２が配置されている。また、室外側部材１６および上側部材１８の室外側には、開口部３３Ａを有した換気グリル３３が配置されている。上側部材１８においては、その室内側の下面に別の横材３４が設けられ、横材３４で軸受ハウジング２５を押さえることにより、軸受ハウジング２５のがたつきを防止している。
【００２９】
さらに、上側部材１８の上面には、レインバリア用およびウインドバリア用の乾式のシール材３５，３６がそれぞれ取り付けられている。これらのシール材３５，３６は、縦枠１３および下枠１２（図５、図６）にわたって取り付けられ、隣接する他のカーテンウォールユニット１０のシール材３５，３６と接触している。
【００３０】
次に、図１ないし図６を参照して、建物２について説明する。
建物２の各階層Ａ〜Ｃ（図１）において、下方の床スラブ３上には、所定の高さ位置に床４１が設けられ、床４１と床スラブ３との間の空間が床下空間４２になっている。
一方、上方の床スラブ３には、その下面から下がった位置に吊り下げ方式で天井４３が設けられ、天井４３と床スラブ３との間の空間が天井裏空間４４になっている。
【００３１】
床４１および天井４３の室外側には、カーテンウォール１から所定間隔離間した位置に、上下の床スラブ３間にわたる内窓４５が設けられている。
内窓４５は、天井４３側の嵌め殺し窓４６と、嵌め殺し窓４６の下側に設けられた引違い窓４７とで構成され、引違い窓４７の各障子４８を開閉させることが可能である。
このような内窓４５およびカーテンウォール１間の空間は、図５、図６に示すように、流通空間４９になっている。この流通空間４９は、床４１側の換気機構２０の第３開口部２３と連通し、また、天井４３側の換気機構２０の第１開口部２１と連通している。
【００３２】
内窓４５の内側は、室内空間５１であり、この室内空間５１は、床４１の内窓４５側に設けられた床部開口４１Ａを介して床下空間４２と連通している。床下空間４２は、図５にも拡大して示すように、内窓４５の下部に設けられた下部側開口４５Ａを介して流通空間４９と連通している。従って、室内空間５１は、床４１側において、流通空間４９と連通している。
【００３３】
床部開口４１Ａには、排出グリル４１１が取り付けられている。流通空間４９の下部側には、前記排出グリル４１１と同じ高さ位置に、吹出グリル４９１が取り付けられている。
また、内窓４５の下部側開口４５Ａ内には、室外側にのみ開く開閉ダンパ４５１が設けられており、室内空間５１内の空気は、流通空間４９側には流れるが、流通空間４９側から空気が室内空間５１内に入り込むことはない。
さらに、上下階の流通空間４９同士は、床スラブ３側およびカーテンウォールユニット１０の上枠１１間に配置された層間塞ぎ材４９２、閉塞プレート４９３で遮断されている。
【００３４】
天井裏空間４４は、内窓４５の上部に設けられた上部側開口４５Ｂを介して流通空間４９と連通している。天井裏空間４４内には、一端が上部側開口４５Ｂに連通し、他端が図示略の空調機に連通した引込流路としての引込ダクト５２が配置されている。従って、流通空間４９内の空気は、空調機を作動させることにより、上部側開口４５Ｂを通って引込ダクト５２に引き込まれる。
【００３５】
すなわち、この建物２では、室内空間５１内の空気を、流通空間４９を通して空調機に戻し、この後に、例えば、清浄フィルタ等を通して再度、天井４３の図示略の吹出口から室内空間５１に吹き出すことが可能であり、室内空間５１内の空気循環が行われるようになっている。
なお、上部側開口４５Ｂの室外側には、吸込グリル５３が取り付けられている。
【００３６】
以下には、このような建物２に複数のカーテンウォールユニット１０を取り付けた場合の幾つかの空気の流通形態について、図７ないし図１０を参照して説明する。
【００３７】
図７には、流通空間４９内の換気を行う場合が示されている。
この場合、当該流通空間４９を形成しているカーテンウォールユニット１０の換気機構２０では、換気扉２６が換気流路形成位置に付勢され、第１開口部２１および第２開口部２２を通して流通空間４９が建物２の外部と連通している。
【００３８】
これに対し、流通空間４９の下側の換気機構２０、つまり下階側のカーテンウォールユニット１０の換気機構２０では、換気扉２６が吸気流路形成位置に付勢され、図６に示すように、第２開口部２２および第３開口部２３を通して建物２の外部と流通空間４９とが連通している。
【００３９】
このことにより、建物２の外部からの外気は、下側の換気機構２０から流通空間４９に入り込むとともに、流通空間４９にもとより存在していた空気が、上側の換気機構２０から外部に排出され、流通空間４９内の換気が行われる。
【００４０】
また、この際、図１に示すように、各階層Ａ〜Ｃで水平方向に配置された複数のカーテンウォールユニット１０のうち、一つ置きに配置されたカーテンウォールユニット１０Ａにおいては、換気機構２０の換気扉２６が換気流路形成位置に付勢され、カーテンウォールユニット１０Ａ間に配置されたカーテンウォールユニット１０Ｂでは、換気扉２６が吸気流路形成位置に付勢されている。
こうすることで、階層Ａ〜Ｃ、ひいては建物２全体の各階層において、同時に流通空間４９の換気が行えるようになっている。
【００４１】
そして、例えば、図１の階層Ｂにおいては、当該階層Ｂに配置されたカーテンウォールユニット１０Ａの換気機構２０と、その下階の階層Ｃに配置されたカーテンウォールユニット１０Ｂの換気機構２０とが、室内側から操作可能とされ、各階層Ａ〜Ｃで、必要時に個別に換気を行うことも可能である。
【００４２】
図８には、上下階の流通空間４９同士を連通される場合が示されている。
この場合、各カーテンウォールユニット１０の換気機構２０において、換気扉２６が閉鎖位置に付勢され、第２開口部２２が閉じられて外部と流通空間４９が遮断され、かつ第１、第３開口部２１，２３を通して上下階の流通空間４９同士が連通する。
このことにより、建物２全体の流通空間４９同士を上下に連通させることが可能である。
【００４３】
図９には、室内空間５１に新鮮な外気を取り入れる場合が示されている。
この場合、各カーテンウォールユニット１０の換気機構２０では、換気扉２６が吸気流路形成位置に付勢されるとともに、内窓４５の引違い窓４７が開け放たれる。
このことにより、下側の換気機構２０から外気を室内空間５１に取り込むことが可能である。
【００４４】
なお、図１、図７に示すように、カーテンウォールユニット１０Ａでの換気扉２６を換気流路形成位置に付勢させ、カーテンウォールユニット１０Ｂでの換気扉２６を吸気流路形成位置に付勢させた場合でも、引違い窓４７を開放すれば、各階層Ａ〜Ｂにおいて、外気を室内空間５１へ取り込むことが可能である。
そして、このような場合には、例えば、階層Ｂにて外気の取り込みを行っていても、階層Ａや階層Ｃでは、引違い窓４７を締め切ることで、階層Ｂでの外気の取り込みに関係なく単独で流通空間４９の換気が行える。
【００４５】
図１０には、室内空間５１内の空気を循環させる場合が示されている。
この場合には、室内側に外気が入り込むのを防ぐために、各カーテンウォールユニット１０の換気機構２０では、換気扉３６が閉鎖位置に付勢されている。そして、図示しない空調機を作動させ、室内空間５１内の空気を、床下空間４２、流通空間４９、引込ダクト５２を通して空調機に戻し、再度室内空間５１内に吹き出させる。
【００４６】
このような本実施形態によれば、以下のような効果がある。
(１)カーテンウォールユニット１０では、換気機構２０が上側のみに設けられているため、従来のように上下の両方に換気機構を設けた場合に比して、カーテンウォールユニット１０としてのコストを削減できる。
そして、換気機構２０が上側だけであるから、カーテンウォールユニット１０の組立作業も容易にできる。
【００４７】
(２)また、カーテンウォールユニット１０を建物２側に固定した際、換気機構２０は各階の境界部分である床スラブ３に対応して位置するので、例えば、図１に示す階層Ｂで換気を行う場合には、下側の換気機構２０で第２、第３開口部２２，２３を連通させ、上側の換気機構２０で第１、第２開口部２１，２２を連通させればよく、下側の換気機構２０から外気を取り入れるとともに、上側の換気機構２０から室内にもとより存在する空気を排出でき、換気機構２０を各カーテンウォールユニット１０に一つ設けるだけでも、換気を良好に行える。
【００４８】
(３)換気機構２０では、第１、第３開口部２１，２３を外部とは遮断した状態で互いに連通させることができるので、建物２が高層であっても、建物２の最下階から最上階までの全室内を容易に連通させることができ、その連通部分で煙突効果をもたらすことができる。
【００４９】
(４)換気装置２４の換気扉２６は、回転することで付勢位置を切換可能に設けられているため、電動モータの回転を利用して換気扉２６を簡単に動作させることができ、切換操作の自動化を容易に実現できる。
【００５０】
(５)一方、カーテンウォールユニット１０が設置される建物２では、内窓４５とカーテンウォール１との間の流通空間４９に、上側の換気機構２０の第１開口部２１と、下側の換気機構２０の第３開口部２３とがそれぞれ開口してしているので、建物２の室内がいわゆるダブルスキン構造であっても、流通空間４９の換気を良好に実施でき、例えば、夏場の日中においては、流通空間４９内の温度が過剰に高くなるを防いで室内空間５１の冷房効率を向上させることができる。
【００５１】
(６)また、建物２では、室内空間５１が床下空間４２を通して流通空間４９と連通し、流通空間４９が天井裏空間４４に配置された引込ダクト５２に連通しているため、室内空間５１内の空気を、流通空間４９から引込ダクト５２を通して空調機に戻し、再度室内空間５１内に吹き出させることにより、室内空間５１の空気循環を行える。
【００５２】
(７)図１に示すように、各階層Ａ〜Ｃのそれぞれでは、交互に配置されたカーテンウォールユニット１０Ａの換気機構２０と、下階側で交互に配置されたカーテンウォールユニット１０Ｂの換気機構２０とを使用して流通空間４９の換気を行うので、全ての階層Ａ〜Ｃで確実に換気を実施できる。
この際、それぞれの階層Ａ〜Ｃでは、換気に供される上側の換気機構２０と下側の換気機構２０とを操作可能であるから、流通空間４９の換気を各階層Ａ〜Ｃで同時に行う必要がなく、必要に応じて個別に行うことができる。
【００５３】
なお、本発明は、前記実施形態に限定されるものではない。
例えば、前記実施形態の換気扉２６は、断面Ｙ字形状であったが、換気扉としては、これに限らず、図１１に示すような断面十字形状の換気扉６０であってもよい。
この換気扉６０は、流通開口６１Ａを有した切換部６１と、これに対して９０°間隔で設けられた３つの切換部６２，６３，６４とを備えており、三つの切換部（図１１では、切換部６２〜６４）が各接触面１６１，１７１，１８１に接触しているとき、残る一つの切換部（図１１では、切換部６１）が、第１開口部２１内に位置するようになっている。
そして、このような換気扉６０を用いると、図１１に示された位置では、第１〜第３開口部２１〜２３を完全に閉鎖でき、例えば、室内空間５１の空気循環を、上下階の流通空間４９を遮断した状態で行うことができ、上階や下階で流通空間４９の換気を行っていたり、外気の取り入れを行っている場合でも、その影響を少なくできる。
【００５４】
また、換気扉２６の構造は、断面Ｙ字形上や十字形状の換気扉２６，６０を備えたものの他、例えば、各接触面１６１，１７１，１８１と接触する外周面を有した回転可能な円柱状の本体を備え、この本体の外周面の一部に軸線方向に沿った窪み等が設けられ、この窪みを利用して開口部同士を連通させるタイプであってもよい。
さらに、本発明に係る流路切換部材としては、回転させることで開口部同士の連通状態を切り換える構成の他、傾倒させることで連通状態を切り換える構成であってもよい。
要するに、流路切換部材は、換気流路形成位置、吸気流路形成位置、および閉鎖位置に付勢可能に切り換わる構成であればよく、その具体的な構造等は、実施にあたって任意に決められてよい。
【００５５】
前記実施形態では、換気機構２０がカーテンウォールユニット１０の上部側に設けられていたが、図１２に示すように、カーテンウォールユニット１０の下部側にのみ設けられた場合でも本発明に含まれる。
また、図１３に示すように、床スラブ３を中心にして上下に延出したカーテンウォールユニット１０では、カーテンウォールユニット１０の中央、つまり、床スラブ３に対応した位置に換気機構２０を設ければよい。
要するに、一カーテンウォールユニットにおいて、上下階の境界部分に対応した位置に、第１〜第３開口部および流路切換部材を備えた換気機構が設けられていればよい。
【００５６】
さらに、本発明の建物の換気構造では、建物の外壁がカーテンウォールで形成されている必要はなく、打設されたコンクリートの壁面にタイル等の適宜な外壁材を取り付けて形成される外壁や、そのような壁面に設けられた開口部にサッシ窓が設置された外壁であってもよい。
また、建物の外壁をカーテンウォールで形成した場合でも、このカーテンウォールをカーテンウォールユニットで構成するのではなく、現場で設置される方立、無目、これら方立および無目で区画される開口部に配置される面材等で構成してもよい。このような建物でも、本発明に係る換気機構を備えていれば、請求項４ないし請求項７の発明に含まれる。
【００５７】
前記実施形態では、建物２の室内に内窓が設けられていたが、このような内窓は必要に応じて設けられればよく、ない場合でも、その建物の換気構造は、請求項４、請求項７、および請求項８の発明に含まれる。
【００５８】
【発明の効果】
以上に述べたように、本発明のカーテンウォールユニットおよび建物の換気構造によれば、コスト削減および作業の簡略化を実現でき、しかも、換気を良好に行えるという効果がある。
【図面の簡単な説明】
【図１】本発明の一実施形態に係るカーテンウォールユニットで構成されたカーテンウォールを示す外観姿図である。
【図２】前記カーテンウォールを示す縦断面図である。
【図３】前記カーテンウォールを示す横断面図である。
【図４】前記カーテンウォールの断面を模式的に示す斜視図である。
【図５】前記カーテンウォールの要部を示す縦断面図である。
【図６】図５の要部を拡大して示す縦断面図である。
【図７】図１でのVII−VII線断面図であって、前記実施形態の流通空間を換気している様子を示す縦断面図である。
【図８】前記流通空間同士を連通させた様子を示す縦断面図である。
【図９】前記実施形態の建物内に外気を取り入れている様子を示す縦断面図である。
【図１０】前記建物内で空気循環を行っている様子を示す縦断面図である。
【図１１】本発明の変形例を示す縦断面図である。
【図１２】本発明の他の変形例を示す縦断面図である。
【図１３】本発明のさらに他の変形例を示す縦断面図である。
【符号の説明】
１…外壁であるカーテンウォール、２…建物、１０…カーテンウォールユニット、２０…換気機構、２１…第１開口部、２２…第２開口部、２３…第３開口部、２６，６０…流路切換部材である換気扉、４２…床下空間、４４…天井裏空間、４５…内窓、４９…流通空間、５２…引込流路である引込ダクト。
【図１】
0003746216.tif 000002
【図２】
0003746216.tif 000003
【図３】
0003746216.tif 000004
【図４】
0003746216.tif 000005
【図５】
0003746216.tif 000006
【図６】
0003746216.tif 000007
【図７】
0003746216.tif 000008
【図８】
0003746216.tif 000009
【図９】
0003746216.tif 000010
【図１０】
0003746216.tif 000011
【図１１】
0003746216.tif 000012
【図１２】
0003746216.tif 000013
【図１３】
0003746216.tif 000014